(57)【要約】【課題】スタンド本体の左右両側の側面上部に空気吸入口を形成でき、空気吸入口から比較的上方の空気を導入してスタンド本体の内部に埃が堆積しにくい手術顕微鏡用スタンド装置を提供する。【解決手段】操作パネル１９を取り出して、それを保持アーム１８を介して側面上部１５から離れた位置に支持するため、その側面上部１５に空気吸入口１６を形成できるようになる。両側の側面上部１４、１５に形成した空気吸入口１６から手術室内の上方の比較的埃の少ないきれいな空気Ａをスタンド本体２内に導入できる。【選択図】        図３
2019025189.tif 000002
【特許請求の範囲】
【請求項１】
フロアに設置される中空ボックス形状のスタンド本体から前方へ向けてアームを延長形成して該アームの先端に手術顕微鏡を支持すると共に、
スタンド本体内に照明用の光源を内蔵し、該光源の光を光ケーブルを介して手術顕微鏡まで導き、手術顕微鏡の下部から照明光として照射する手術顕微鏡用スタンド装置であって、
前記スタンド本体の左右両側の側面上部に空気吸入口を形成し、一方の側面上部に側面上部から離間する方向に突出した保持アームを設け、該保持アームの先端にスタンド装置を操作するための操作パネルを支持し、スタンド本体の下部にファン付きの空気排出口を形成し、
スタンド本体の内部で空気吸入口から空気排出口に向けた下向きの空気の流れを形成し、該空気の流れに乗せて光源の熱を外部に放出できることを特徴とする手術顕微鏡用スタンド装置。
【請求項２】
保持アームは基端を中心に水平方向に回転自在で、保持アーム側の側面上部が上側に向けてスタンド本体側へ傾斜していることを特徴とする請求項１記載の手術顕微鏡用スタンド装置。
【発明の詳細な説明】
【技術分野】
【０００１】
本発明は手術顕微鏡用スタンド装置に関する。
【背景技術】
【０００２】
脳神経外科手術等において使用される手術顕微鏡用スタンド装置は中空ボックス形状のスタンド本体を有し、スタンド本体はベースによりフロア上に立った状態で手術室に設置されている。スタンド本体の上部からは前方へ向けてアームが延長形成され、その先端に手術顕微鏡が支持されている。ドクターは支持された手術顕微鏡の接眼部に目を当てて患部を拡大観察しながら手術を行う。
【０００３】
手術顕微鏡の拡大された視野の明度を確保するために、手術顕微鏡から患部に向けて照明光が照射される。この照明光はスタンド本体内に内蔵された光源からスタンド本体及びアーム内に設けられた光ケーブルを介して手術顕微鏡へ導いたものである。
【０００４】
スタンド本体内に設置される光源はキセノン光源などの高出力のもので、それ自体から熱が発生するため、スタンド本体の下部にはそれぞれ前後の対向位置に空気吸入口と空気排出口が形成され、スタンド本体内に空気の流れをつくり、その空気の流れに乗せてスタンド本体内の熱を外部に放出している（例えば、特許文献１参照）。
【先行技術文献】
【特許文献】
【０００５】
【特許文献１】特開２００９−１３６５８１号公報
【発明の概要】
【発明が解決しようとする課題】
【０００６】
しかしながら、このような関連技術にあっては、手術室内においてスタンド本体の下部に設けられた空気吸入口よりフロアに近い低い位置の空気を導入するため、低い位置の空気に含まれる埃が一緒にスタンド本体内に導入される。手術室とはいえ目に見えない埃は充満しており、特に手術室下方のフロアに近い部分は上方空間に比べて埃の濃度が高い。そのためスタンド本体内に埃が堆積しやすく、スタンド本体の内部を清掃する頻度が高くなる。
【０００７】
そこでスタンド本体の上部に空気吸入口を形成したという要請がある。スタンド本体の上面はラック等を利用して計器を載せたりする場合があるため、スタンド本体の左右両側の側面上部にそれぞれ空気吸入口を形成することが望まれている。ところがこの側面上部は一般にはスタンド装置を操作するための操作パネルが設置されるための領域で、少なくとも片方の側面上部は操作パネルにより占められるため両側に空気吸入口を形成することができない。
【０００８】
本発明は、このような従来の要請に応じてなされたものであり、スタンド本体の左右両側の側面上部に空気吸入口を形成でき、空気吸入口から比較的上方の空気を導入してスタンド本体の内部に埃が堆積しにくい手術顕微鏡用スタンド装置を提供することを目的としている。
【課題を解決するための手段】
【０００９】
本発明の第１の技術的側面によれば、フロアに設置される中空ボックス形状のスタンド本体から前方へ向けてアームを延長形成して該アームの先端に手術顕微鏡を支持すると共に、スタンド本体内に照明用の光源を内蔵し、該光源の光を光ケーブルを介して手術顕微鏡まで導き、手術顕微鏡の下部から照明光として照射する手術顕微鏡用スタンド装置であって、前記スタンド本体の左右両側の側面上部に空気吸入口を形成し、一方の側面上部に側面上部から離間する方向に突出した保持アームを設け、該保持アームの先端にスタンド装置を操作するための操作パネルを支持し、スタンド本体の下部にファン付きの空気排出口を形成し、スタンド本体の内部で空気吸入口から空気排出口に向けた下向きの空気の流れを形成し、該空気の流れに乗せて光源の熱を外部に放出できることを特徴とする。
【００１０】
本発明の第２の技術的側面によれば、保持アームは基端を中心に水平方向に回転自在で、保持アーム側の側面上部が上側に向けてスタンド本体側へ傾斜していることを特徴とする。
【発明の効果】
【００１１】
本発明の第１の技術的側面によれば、一般にスタンド本体の側面上部に設置される操作パネルを取り出して、それを保持アームを介して側面上部から離れた位置に支持するため、その側面上部にも空気吸入口を形成できるようになる。左右両側の側面上部に空気吸入口を形成できるようになり、そこから手術室内の上方の比較的埃の少ないきれいな空気をスタンド本体内に導入できるため、スタンド本体の内部に埃が堆積しにくく、スタンド本体の内部を清掃する頻度が低くなる。
【００１２】
本発明の第２の技術的側面によれば、保持アーム側の側面上部が上側に向けてスタンド本体側へ傾斜しているため、保持アームを操作パネルごと水平方向に回転させても、側面上部が保持アームや操作パネルと干渉しにくくなる。
【図面の簡単な説明】
【００１３】
【図１】スタンド装置を斜め後方から見た斜視図。
【図２】スタンド装置の側面図。
【図３】スタンド本体を斜め前方から見た斜視図。
【図４】スタンド本体の断面図。
【発明を実施するための形態】
【００１４】
本発明の好適な実施形態を図１〜図４に基づいて説明する。以上及び以下において前後左右の方向性は図１に示された通りである。
【００１５】
スタンド装置１のスタンド本体２は手術室のフロア３上に置かれたベース４の上部に設置されており、ベース４の中心を通過する垂直軸を中心にして全体が回転できるようになっている。スタンド本体２の前方に突出した部分に設定された回転軸５には、前アーム６と後アーム７を含む縦方向での平行リンク機構Ｌが、その前アーム６の途中部分において回転自在に支持されている。
【００１６】
平行リンク機構Ｌの上部からは前方に向けて支持アーム８が延びており、この支持アーム８の先端に手術顕微鏡９が吊下アーム１０を介して支持されている。平行リンク機構Ｌの下部には後方へ向けてカウンタウェイトＷが取付けられている。このカウンタウェイトＷは前記手術顕微鏡９の重量に対する回転軸５を中心とした重量バランスを図るためのものである。
【００１７】
この実施形態に係る「アーム」は以上の平行リンク機構Ｌ、支持アーム８、吊下アーム１０から構成される。
【００１８】
手術顕微鏡９及びカウンタウェイトＷ等を含む平行リンク機構Ｌは全て回転軸５に支持されており、平行リンク機構Ｌ全体が回転軸５を中心に前後へ傾くことができ、且つ支持アーム８は前アーム６の上端を中心にして上下させることができる。
【００１９】
スタンド本体２において、回転軸５を含むスタンド本体２の前側部分はスライド部１１として分離されている。このスライド部１１は図示せぬ駆動手段によりスタンド本体２に対して上下動することができる。
【００２０】
スタンド本体２は中空ボックス形状で、内部には照明用の光源（キセノン）１２が２個設けられている。１個は予備でどちらか一方が点灯する。光源１２の光は前アーム６、支持アーム８、吊下アーム１０内に設けられた光ケーブル１３を介して手術顕微鏡９まで導かれ、手術顕微鏡９の下部から観察部位に対して照明光Ｒとして照射される。
【００２１】
スタンド本体２の左右両側の側面上部１４、１５には複数の空気吸入口１６が形成されている。右側の側面上部１４は垂直面だが、左側の側面上部１５は上側に向けてスタンド本体２側に向けて傾斜した傾斜面となっている。その側面上部１５の下側には台座１７が形成されていて、そこに保持アーム１８の基端が水平回動自在に設けられている。保持アーム１８の先端には操作パネル１９が設けられている。この操作パネル１９はタッチスクリーン式のパネルで、照明のＯＮ／ＯＦＦ、照明照度、フォーカススピード、ズーム倍率、作動距離などを操作することができる。この左側の側面上部１５に空気吸入口１６を形成できたのは、このように操作パネル１９を保持アーム１８により側面上部１５から取り出したためである。
【００２２】
一方、スタンド本体２の下部の後面部２０にはファン付きの空気排出口２１が形成されている。空気排出口２１からスタンド本体２の内部の空気Ａを強制的に排出することができる。これにより、空気吸入口１６からスタンド本体２の上部の空気Ａをスタンド本体２内に導入して、スタンド本体２の内部で空気Ａの流れをつくることができる。従って光源１２から発生する熱をこの空気Ａの流れに乗せて空気排出口２１から外部へ放出することができ、光源１２を冷却することができる。
【００２３】
スタンド本体２内の光源１２を冷却する空気Ａをスタンド本体２の側面上部１４、１５に設けた空気吸入口１６から導入するため、スタンド本体２の上部付近の比較的埃の少ないきれいな空気Ａをスタンド本体２内に導入することができ、スタンド本体２内における埃の堆積を防止することができる。従って、スタンド本体２の内部に埃が堆積しにくく、スタンド本体２の内部を清掃する頻度が低くなる。
【００２４】
また保持アーム１８側の側面上部１５が上側に向けてスタンド本体２側へ傾斜しているため、保持アーム１８を操作パネル１９ごと水平方向に回転させても、保持アーム１８や操作パネル１９が側面上部１５と干渉しにくくなる。
【符号の説明】
【００２５】
１  スタンド装置
２  スタンド本体
８  支持アーム（アーム）
９  手術顕微鏡
１０  吊下アーム（アーム）
１２  光源
１３  光ケーブル
１４  側面上部（右側）
１５  側面上部（左側）
１６  空気吸入口
１８  保持アーム
１９  操作パネル
２０  後面部
２１  空気排出口
Ａ  空気
Ｌ  平行リンク機構（アーム）
Ｒ  照明光
Ｗ  カウンタウェイト
【図１】
2019025189.tif 000003
【図２】
2019025189.tif 000004
【図３】
2019025189.tif 000005
【図４】
2019025189.tif 000006